(57)【要約】      （修正有）【課題】基板投影面にもガラス飛散防止性を有し、生産性を向上させた冷蔵庫を提供する。【解決手段】下段冷凍室の開口を開閉する扉本体と、扉本体の前面に設けられる透光性を有する化粧板であるガラス板２０と、ガラス板２０の裏面に設けられる塗料層である塗膜３０と、塗膜３０の裏面に設けられる飛散防止用フィルム４０Ｃと、飛散防止用フィルム４０Ｃの裏面側に、発光部７１ｂが設けられた基板７１を有する。【選択図】図８
2018013270.tif 000002
【特許請求の範囲】
【請求項１】
貯蔵室の開口を開閉する扉本体と、
前記扉本体の前面に設けられる透光性を有する化粧板と、
前記化粧板の裏面に設けられる塗料層と、
前記塗料層の裏面に設けられる飛散防止用フィルムと、を備え、
前記飛散防止用フィルムの裏面側に、発光部が設けられた基板を有することを特徴とする冷蔵庫。
【請求項２】
前記飛散防止用フィルムの表面自由エネルギは、３１Ｊ／ｍ２以上であることを特徴とする請求項１に記載の冷蔵庫。
【請求項３】
前記飛散防止用フィルムは、前記扉本体と接着層を介して保持され、
前記飛散防止用フィルムと前記ウレタンフォーム断熱材の接着力は、前記接着層によって前記化粧板と前記扉本体の接着力よりも大きいことを特徴とする請求項１または請求項２に記載の冷蔵庫。
【請求項４】
前記飛散防止用フィルムの裏面には真空断熱材が設けられ、
前記飛散防止用フィルムと前記ウレタンフォーム断熱材の接着力は、前記真空断熱材の復元力によって前記化粧板を押し出す押出力よりも大きいことを特徴とする請求項１から請求項３のいずれか１項に記載の冷蔵庫。
【請求項５】
前記飛散防止用フィルムは、発光部投影面に光透過性を有することを特徴とする請求項１に記載の冷蔵庫。
【請求項６】
前記基板は、静電容量タイプのタッチパネルを有することを特徴とする請求項１に記載の冷蔵庫。
【発明の詳細な説明】
【技術分野】
【０００１】
本発明は、冷蔵庫に関する。
【背景技術】
【０００２】
冷蔵庫では、扉の前面に化粧板として例えばガラス板を備えたものが種々提案されている。この種の冷蔵庫の扉は、ガラス板の周縁を保持するフレーム（枠体）を備えるとともに、内部に断熱材としてウレタン（発泡ポリウレタン）が充填されている（例えば、特許文献１参照）。
【先行技術文献】
【特許文献】
【０００３】
【特許文献１】特開２０１４−４３９８３号公報
【発明の概要】
【発明が解決しようとする課題】
【０００４】
ところで、特許文献１に記載の冷蔵庫では、ガラス破損時の飛散防止用のフィルムが貼り付けられている。しかし、タッチパネル組み込みの扉に対して飛散防止機能を設ける場合、基板投影面以外に貼付するため、フィルムを分断して貼付しなければならず、生産性を低下させる要因となっていた。そのため、この基板投影面には飛散防止機能を有していなかった。
【０００５】
本発明は、基板投影面にもガラス飛散防止性を有し、生産性を向上させた冷蔵庫を提供することを目的とする。
【課題を解決するための手段】
【０００６】
本発明は、貯蔵室の開口を開閉する扉本体と、前記扉本体の前面に設けられる透光性を有する化粧板と、前記化粧板の裏面に設けられる塗料層と、前記塗料層の裏面に設けられる飛散防止用フィルムと、を備え、前記飛散防止用フィルムの裏面側に、発光部が設けられた基板を有することを特徴とする。
【発明の効果】
【０００７】
本発明によれば、基板投影面にもガラス飛散防止性を有し、生産性を向上させた冷蔵庫を提供することができる。
【図面の簡単な説明】
【０００８】
【図１】本実施形態の冷蔵庫の正面図である。
【図２】図１のＡ−Ａ線断面図である。
【図３】ガラス板の保持構造を示す断面図である。
【図４】ガラス板の別の保持構造を示す断面図である。
【図５】ガラス板にフィルムを設ける場合の工程図を示し、（ａ）はロール状のフィルムを用いた場合、（ｂ）は平板状のフィルムを用いた場合である。
【図６】フィルムの材質と表面自由エネルギとの関係を示す表である。
【図７】（ａ）は扉に真空断熱材を設けた場合の扉断面図、（ｂ）は従来の扉に真空断熱材を設けた場合の課題を説明する図である。
【図８】タッチパネルの位置での扉断面図であり、（ａ）は本実施形態、（ｂ）は比較例である。
【図９】従来のガラス板の保持構造を示す断面図を示し、（ａ）はフィルムを設けた場合、（ｂ）はフィルムを設けない場合である。
【発明を実施するための形態】
【０００９】
以下、本発明の実施形態について、適宜図面を参照しながら詳細に説明する。
【００１０】
図１は、本実施形態の冷蔵庫の正面図である。
【００１１】
図１に示すように、冷蔵庫１は、上方から、冷蔵室２、製氷室３、上段冷凍室４、下段冷凍室５（貯蔵室）、野菜室６に区画された冷蔵庫本体１０を備えている。冷蔵室２は、前方側に左右に分割されて観音開きで手前側に開く冷蔵室扉（以下、扉と略記する）２ａ，２ｂを備えている。また、製氷室３、上段冷凍室４、下段冷凍室５、野菜室６は、冷蔵室２、製氷室３、上段冷凍室４、下段冷凍室５（貯蔵室）、野菜室６の前面の開口を開閉する引き出し式の製氷室扉３ａ、上段冷凍室扉４ａ、下段冷凍室扉５ａ、野菜室扉６ａ（以下、扉３ａ，４ａ，５ａ，６ａと略記する）を備えている。なお、以下では、６枚の扉２ａ，２ｂ，３ａ，４ａ，５ａ，６ａを備えた冷蔵庫１を例に挙げて説明したが、５枚以下、７枚以上の扉を備えた冷蔵庫にも適用できる。
【００１２】
また、各扉２ａ，２ｂ，３ａ，４ａ，５ａ，６ａの前面には、ガラス板２０（透光性を有する化粧板）が取り付けられている。ガラス板２０は、正面視矩形状であり、各扉２ａ，２ｂ，３ａ，４ａ，５ａ，６ａの前面のほぼ全体に配置される面積を有している。
【００１３】
図２は、図１のＡ−Ａ線断面図である。なお、図２では、ガラス板２０の裏面側の層構成については図示を省略している。
【００１４】
図２に示すように、扉５ａは、ガラス板２０を保持する扉本体１１を備え、扉本体１１とガラス板２０とで構成される空間に充填物としてウレタンフォーム断熱材Ｒが設けられている。また、扉５ａには、下段冷凍室５と扉５ａとの隙間を密閉するパッキン２５（シール部材）が設けられている。
【００１５】
冷蔵庫本体１０は、冷凍温度帯よりも高い貯蔵温度帯の野菜室６とを区画断熱する仕切断熱壁１０ａと、製氷室３、上段冷凍室４および下段冷凍室５を同一の冷凍温度帯の空間とし、仕切断熱壁ではなく単なる仕切りである仕切り部材１０ｂと、を備えている。この仕切断熱壁１０ａ、仕切り部材１０ｂおよび冷蔵庫本体１０の左右の両側面の断熱仕切壁（不図示）に、扉５ａに設けられた四角枠形状のパッキン２５が密着することにより、下段冷凍室５が密閉される。
【００１６】
ガラス板２０は、光透過性を有するものであり、例えば無色透明の強化ガラスで構成されている。また、ガラス板２０の板厚は、例えば、２ｍｍから３.５ｍｍであり、冷蔵庫組立時、冷蔵庫移送時、蔵庫使用時などに生じる衝撃によってガラス板２０が割れたり、亀裂が生じたりしない寸法（厚さ）である。また、さらに強度を確保する場合や板厚を薄くする場合などには、ガラス板２０に熱強化処理や化学強化処理等を施してもよい。なお、ガラス板２０は絶縁体である。
【００１７】
扉本体１１は、上下左右の外周を構成するフレーム１２と、背面側を構成するドアライナ（背板）１３と、を備え、内部にウレタンフォーム断熱材Ｒが設けられる空間を有している。
【００１８】
フレーム１２は、合成樹脂製であり、ガラス板２０の下端縁部を保持する保持部１２ａと、ガラス板２０の上端縁部を保持する保持部１２ｂと、を有している。なお、図示していないが、フレーム１２は、ガラス板２０の左右の縁部を保持する保持部も有している。
【００１９】
ドアライナ１３は、合成樹脂製であり、下段冷凍室５に対応する上下方向にわたって、ガラス板２０との距離（Ｔ）が略同じ又は所定距離以上になるように構成されている。また、ドアライナ１３は、下段冷凍室５に対応する左右方向にわたって、ガラス板２０との距離が略同じになるように構成されている。このように構成された扉５ａでは、フレーム１２、ドアライナ１３およびガラス板２０で囲まれる空間にウレタンフォーム断熱材（発泡ポリウレタン）Ｒが設けられている。
【００２０】
ウレタンフォーム断熱材Ｒは、硬質ウレタンフォームからなり、扉本体１１の内部に注入したウレタンフォーム原液（発泡断熱材の原料液）を充填して発泡させた後、硬化させることで構成されたものである。なお、ウレタンフォーム原液としては、例えば、ポリエーテルポリオールに、シクロペンタン、水などの発泡剤、さらには触媒、整泡剤などの助剤をプレミックスした液と、イソシアネート液とを混合した液体が挙げられる。
【００２１】
フレーム１２の保持部１２ａは、ガラス板２０の下縁部背面に当接する背面当接部１２ａ１と、ガラス板２０の下端面に当接する端面当接部１２ａ２と、ガラス板２０の前面に当接する前面当接部１２ａ３と、を有し、断面視において略Ｕ字状に形成されている。この保持部１２ａは、ガラス板２０の下端縁部をくわえ込んだ状態でガラス板２０の下端を保持している。
【００２２】
フレーム１２の保持部１２ｂは、ガラス板２０の上縁部背面に当接する背面当接部１２ｂ１と、ガラス板２０の上端面に当接する端面当接部１２ｂ２と、を有し、断面視においてＬ字状に形成されている。この保持部１２ｂは、ガラス板２０の上端縁部を付き当てた状態でガラス板２０の上端を保持している。このように、ガラス板２０を突き当て構造の保持部１２ｂで保持することで、ガラス板２０が前面の露出領域を広げることができ、扉５ａの前面のフラット感をより高めることができる。なお、本実施形態では、ガラス板２０の下端に保持部１２ａを適用した場合を例に挙げて説明したが、ガラス板２０の上下両縁および左右両縁のすべてに保持部１２ｂを適用してもよい。これにより、ガラス板２０が前面に露出する領域をさらに拡大することができ、さらにフラット感を高めることができる。
【００２３】
図３は、ガラス板の保持構造を示す断面図、図４は、ガラス板の別の保持構造を示す断面図である。なお、図４は、上下逆さまにして図示している。
【００２４】
図３に示すように、ガラス板２０の裏面には、塗膜（塗料層）３０が設けられている。塗膜３０は、有色の塗料であり、無色透明なガラス板２０を通して裏側に配置される部材を隠蔽するものである。また、塗膜３０は、例えばエポキシ系の熱硬化性樹脂によって構成されている。また、塗膜３０は、ガラス板２０の裏面にエポキシ系の熱硬化性樹脂をスクリーン印刷によって複数層（１層の厚みが例えば１０マイクロメートル）形成し、スクリーン印刷後、焼き付け処理（例えば、１２０℃以上）を行うことによって構成されている。
【００２５】
塗膜３０の裏面には、フィルム４０が貼り付けられている。このフィルム４０は、ガラス板２０に衝撃が加えられてガラス板２０が割れた場合や亀裂が入った場合であっても、ガラス板２０が周囲に飛び散らないように保護する飛散防止用のフィルムである。なお、フィルム４０の一面側（前面）には、接着層（不図示）が形成されており、フィルム４０が塗膜３０に接着層を介して接着されることで固定されている。
【００２６】
扉本体１１内には、ウレタンフォーム断熱材Ｒが設けられており、ウレタンフォーム断熱材Ｒがフレーム１２の内壁面、ドアライナ１３（図２参照）の内壁面およびフィルム４０の他面側（裏面）に接着接触するように充填されることで構成されている。
【００２７】
図４に示すように、ガラス板２０の裏面には、塗膜（塗料層）３０が設けられ、さらに塗膜３０の裏面には、飛散防止用のフィルム４０が設けられている。さらに、フィルム４０と背面当接部１２ｂ１との間には、両面テープ５０が設けられ、フィルム４０と背面当接部１２ｂ１とが接着、固定されている。なお、本実施形態の突き当て構造では、両面テープ５０が設けられた扉５ａを例に挙げて説明したが、両面テープ５０が設けられていない扉５ａに適用することもできる。
【００２８】
図５は、ガラス板にフィルムを設ける場合の工程図を示し、（ａ）はロール状のフィルムを用いた場合、（ｂ）は平板状のフィルムを用いた場合である。
【００２９】
図５（ａ）に示すように、ロール状に巻回されたフィルム４０Ａ（図９（ａ）のフィルム１００に相当するもの）は、基材４１と、基材４１の一面側に形成される粘着層（接着層）４２と、他面側に形成される離型剤４３とが積層されて構成されている。
【００３０】
基材４１は、表面自由エネルギが３１Ｊ／ｍ２以上のＰＥＴ（ポリエチレンテレフタレート）などで形成されている。粘着層４２は、例えばアクリル系のものであり、塗膜３０と接着、固定できる機能を有している。離型剤４３は、シリコーン系やフッ素系のものであり、フィルム４０Ａをロール状に保持でき、またフィルム４０Ａから引き延ばしたときに粘着層４２を剥離させることができる機能を有している。
【００３１】
そして、引き延ばしたフィルム４０Ａをガラス板２０の塗膜３０側の面に粘着層４２を介して貼り付ける。そして、フィルム４０Ａに残っている離型剤４３を、除去剤を使用して除去する。これにより、ガラス板２０の塗膜３０には、離型剤４３が形成されていないフィルム４０が貼付されるので、ウレタンフォーム断熱材Ｒ（図３および図４参照）をフィルム４０の基材４１に接着させることができる。よって、フィルム４０Ａの離型剤を除去していないものに断熱材を充填する場合よりも非常に高い接着力でフィルム４０とウレタンフォーム断熱材Ｒとを接着することができる。
【００３２】
また、図５（ｂ）に示すように、フィルム４０Ｂは、平板状の基材４１と、この基材４１の一面側に形成される粘着層４２と、この粘着層４２を覆う剥離シート４４と、を備えて構成されている。この場合には、剥離シート４４を剥がして、粘着層４２の面をガラス板２０の塗膜３０に向けて重ねることでフィルム４０を貼り付ける。図５（ａ）の場合には、離型剤を除去する工程が不要になるので、製造工程を簡略化でき、離型剤を除去するためのコストを低減できる。
【００３３】
図６は、フィルムの材質と表面自由エネルギとの関係を示す表である。
【００３４】
図６に示すように、フィルム４０は、基材４１の材質として、表面自由エネルギ（表面張力）が３１Ｊ／ｍ２以上の樹脂を選択することができ、具体的には、ＰＥＴ（ポリエチレンテレフタレート）樹脂、ＡＢＳ（アクリロニトリル・ブタジエン・スチレン共重合体）樹脂などから選択できる。このように表面自由エネルギを３１Ｊ／ｍ２以上にすることで、フィルム４０の基材４１（ＰＥＴなど）とウレタンフォーム断熱材Ｒとの間における接着力を向上でき、ウレタンフォーム断熱材Ｒの熱収縮などによる扉５ａの変形によってガラス板２０が扉本体１１から剥がれる（外れる）のを防止できる。
【００３５】
なお、表面自由エネルギが３１Ｊ／ｍ２未満では、フィルム４０の基材とウレタンフォーム断熱材Ｒとの間における接着力が小さく、扉５ａの変形によるガラス板２０の剥がれを防止することが困難になる。
【００３６】
このように、本実施形態の冷蔵庫１は、透光性（光透過性）を有するガラス板２０の裏面に設けられる塗膜３０と、塗膜３０の裏面に設けられるフィルム４０（離型剤無し）と、扉本体１１内に設けられる充填物としてのウレタンフォーム断熱材Ｒと、が備えられ、フィルム４０とウレタンフォーム断熱材Ｒとを接触させることでフィルム４０とウレタンフォーム断熱材Ｒとを接着している。これによれば、フィルム４０とウレタンフォーム断熱材Ｒとが接触する領域（周縁部を除く全面）において、ウレタンフォーム断熱材Ｒとフィルム４０との接着力によってガラス板２０を保持できるので、ウレタンフォーム断熱材Ｒの熱収縮などによって扉５ａを変形させる力が働いたとしても、ガラス板２０の剥がれを防止することができる。
【００３７】
つまり、図３に示すように、ウレタンフォーム断熱材Ｒの熱収縮による力によってガラス板２０が受ける変形力をＦとし、フィルム４０とウレタンフォーム断熱材Ｒとの接着力をＦ２とし、フレーム１２による保持力をＦ３とすると、本実施形態では、接着力Ｆ２を大きくできるので、Ｆ＜Ｆ２＋Ｆ３の関係式が成り立つ。これにより、ガラス板２０の剥がれを防止できる。
【００３８】
また、図４に示すように、フィルム４０とウレタンフォーム断熱材Ｒとの接着力をＦ２とし、両面テープ５０によるフィルム４０と扉本体１１（保持部１２ｂ）との接着力をＦ４としたときに、Ｆ＜Ｆ２＋Ｆ４の関係式が成り立ち、ガラス板２０の剥がれを防止できる。
【００３９】
また、本実施形態では、Ｆ２＞Ｆ４の関係が成り立つように構成されている。この場合、離型剤の無いフィルム４０（基材４１）にウレタンフォーム断熱材Ｒが接着できるので、接着力Ｆ２が、接着力Ｆ４よりも同一面積当たりの接着力が高くなる（例えば１０倍以上になる）。これにより、小さな面積で大きな効果（接着力）を得ることができ、ガラス板２０側との接着力を、両面テープ５０の接着面積を増やすことで高めるよりも、効率的に高めることができる。
【００４０】
ところで、図７（ｂ）に示すように、離型剤を除去していないフィルム１００がガラス板２０に貼り付けられた冷蔵庫において、真空断熱材１１０の外包材に傷が付いて穴等が空き断熱材内部が大気圧に戻った場合、真空断熱材１１０の復元力Ｆ１０によってガラス板２０が外側（前方）に押し出されてガラス板２０が剥がれる虞がある。これは、フィルム１００とウレタンフォーム断熱材Ｒとの接着力Ｆ２が非常に小さく、接着力Ｆ２が復元力Ｆ１０よりも小さくなるためである。
【００４１】
そこで、図７（ａ）に示すように、本実施形態の真空断熱材６０を備えた冷蔵庫１Ａでは、真空断熱材６０が粘着層６１を介してフィルム４０に貼り付けられている。なお、粘着層６１は、両面テープ、ホットメルトなどで構成されている。また、真空断熱材６０は、フィルム４０の全面ではなく、フィルム４０が露出する領域Ｅ１，Ｅ２が形成されるようにフィルム４０の一部に配置されている。
【００４２】
また、フィルム４０（離型剤無し）とウレタンフォーム断熱材Ｒとの接着力（Ｆ２）は、ウレタンフォーム断熱材Ｒの熱収縮によって扉５ａを変形させる力（Ｆ）と真空断熱材６０の復元力とを加算した力よりも大きくなるように設定されている。
【００４３】
本実施形態では、離型剤が除去されているまたは離型剤が設けられていないフィルム４０を備えているので、図７（ａ）の領域Ｅ１，Ｅ２において、フィルム４０とウレタンフォーム断熱材Ｒとを接触した状態で充填することができる。これにより、フィルム４０とウレタンフォーム断熱材Ｒとを強固に接着することができ、ガラス板２０を外側に押し出す力（Ｆ）と復元力Ｆ１０（図７（ｂ））とを加算した力よりも大きな接着力を得ることが可能になる。
【００４４】
また、真空断熱材６０は、例えば、グラスウールなどの芯材６０ａをガスバリア性のアルミニウムフィルムからなる外被材６０ｂで覆って内部を減圧封止することで得られる。また、真空断熱材６０は、いわゆる湿式のものであり、例えば、湿式抄造法によって形成されたシートを複数枚重ねて内袋に入れたものを炉に入れて湿気をなくし、複数枚重ねたシートを芯材６０ａとする。そして、芯材６０ａをアルミ製の外被材（外袋）６０ｂに入れて、真空引きして密封したものである。ちなみに、乾式の真空断熱材は、例えば、グラスウールなどの芯材を複数層重ねて構成され、所定厚さ（始めの１／４〜１／５位の厚さ）にプレス成形し、所定厚さの芯材を内袋に入れる。そして、内袋をアルミ製の外袋に入れて、真空引きすることで得られる。
【００４５】
このようにして得られる湿式の真空断熱材６０は、薄いシートを多層化し、１層当たりの密度のばらつきが緩和されるため表面の凹凸が少なくなる。つまり、表面（外被材６０ｂ）の平面度が高くなる。このため、真空断熱材６０をフィルム４０に粘着層６１を介して接着、固定する際に、真空断熱材６０をフィルム４０に安定して固定することができる。
【００４６】
また、湿式の真空断熱材６０は、膨張したときも芯材６０ａが立体構造にならないので、乾式（立体構造になり易い）に比べて膨張し難く、復元力も小さくなる。このように、湿式の真空断熱材６０を用いることで、復元力を小さくすることができる。このため、真空断熱材６０の設置面積を乾式のものに比べて大きくすることができ、扉５ａの断熱性を向上させることが可能になる。
【００４７】
なお、前記した実施形態では、扉５ａに適用した場合を例に挙げて説明したが、その他の扉２ａ，２ｂ，３ａ，４ａ，６ａについても、扉５ａと同様にして、離型剤の無いフィルム４０と、ウレタンフォーム断熱材Ｒとを接着して構成することができる。また、扉２ａ，２ｂ，３ａ，４ａ，６ａについても、扉５ａと同様にして、真空断熱材６０を、離型剤の無いフィルム４０の裏面に貼付して構成してもよい。
【００４８】
図８は、タッチパネルの位置での扉断面図であり、（ａ）は本実施形態、（ｂ）は比較例である。なお、以下では、タッチパネル７０が扉２ａに設けられる場合を例に挙げて説明するが、扉２ａに限定されるものではなく、その他の扉であってもよく、複数の扉に設けられていてもよい。
【００４９】
図８（ｂ）に比較例として示す冷蔵庫は、ガラス板２０の裏面に塗膜３０（塗料層）が設けられ、塗膜３０の裏面に有色で光不透過性のフィルム４０（ガラス飛散防止用のフィルム）が設けられている。また、扉２ａの内部には、タッチパネル７０が設けられ、このタッチパネル７０が配置される領域のフィルム４０が切り欠かれている。
【００５０】
タッチパネル７０は、例えば、使用者が指でタッチすることで冷蔵庫の設定を変更する操作部と、操作部の操作によって設定された内容（状態）を表示する表示部と、を備えている。なお、図８（ｂ）では、表示部の構成の図示を省略している。
【００５１】
タッチパネル７０は、例えば、表示内容（文字など）が印刷されたフィルム表示部材７２、タッチスイッチ用の電極部７１ａおよびＬＥＤなどの発光部７１ｂが設けられた基板７１、フィルム表示部材７２と基板７１との間に発光部７１ｂの光をフィルム表示部材７２の表示部分に導光させる導光板７３などを備えて構成されている。なお、図示していないが、タッチパネル７０は、ウレタンフォーム断熱材Ｒと隔離するためのカバー部材で覆われている。また基板７１は、タッチパネル操作部がなく、ＬＥＤ等の発光部のみを設けた基板でもよい。
【００５２】
ところで、ガラスの飛散防止用として用いられるフィルム４０は、図８（ｂ）で説明したように有色である場合（光不透過性である場合）、タッチパネル７０に対応する位置のフィルム４０に切欠部４５を形成する必要がある。このため、切欠部４５にウレタンフォーム断熱材Ｒが流れ込んで塗膜３０が剥がれる虞がある。
【００５３】
そこで、本実施形態では、図８（ａ）に示すように、塗膜３０の裏面に無色透明な（光透過性を有する）ガラス飛散防止用のフィルム４０Ｃを設けた冷蔵庫１Ｂを構成したものである。なお、フィルム４０Ｃは、無色透明に限定されるものではなく、透明で光透過性を有するものであれば、無色に限定されるものではない。一枚のガラス内でもフィルム４０Ｃは、発光部投影面のみ光透過性を有し、他部分は有色で光透過性を有していなくてもよい。これにより、フィルム４０Ｃに前記した切欠部４５を設ける必要がなくなり、ウレタンフォーム断熱材Ｒの侵入による塗膜３０の剥がれを防止できる。
【００５４】
また、離型剤としてシリコーン樹脂が用いられているフィルムを使用する場合には、タッチパネルの操作に不具材を生じさせる虞がある。しかし、本実施形態では、離型剤が設けられていないフィルム４０を使用しているので、タッチパネル７０の操作に不具合が生じるのを防止できる。
【００５５】
本発明は、前記した実施形態に限定されるものではなく、本発明を変更しない範囲において種々変更することができる。例えば、前記した実施形態では、扉本体１１の前面に設けられる透光性を有する板材として、ガラス板２０を例に挙げて説明したが、ガラス製に限定されるものではなく、光透過性を有するものであれば、ＰＭＭＡ樹脂（ポリメタクリる酸メチル樹脂）などからなる透明な板材であってもよい。
【００５６】
また、前記した実施形態では、ガラス板２０の裏面に塗膜（有色の塗料層）を設けた場合を例に挙げて説明したが、ガラス板２０の裏面に金属蒸着層を形成し、金属蒸着層の裏面に塗膜を形成して構成してもよい。
【符号の説明】
【００５７】
１，１Ａ，１Ｂ  冷蔵庫
５      下段冷凍室（貯蔵室）
１１    扉本体
１２    フレーム
１２ａ，１２ｂ  保持部
１２ａ１，１２ｂ１  背面当接部
１２ａ２，１２ｂ２  端面当接部
１２ａ３  前面当接部
２０    ガラス板（化粧板）
３０    塗膜（塗料層）
４０，４０Ｂ，４０Ｃ  （飛散防止用）フィルム
４１    基材
４２    粘着層（接着層）
５０    両面テープ（粘着層）
６０    真空断熱材
６０ａ  芯材
６０ｂ  外被材
６１    粘着層
７０    タッチパネル
７１    基板
７１ａ  電極
７１ｂ  発光部
７２    フィルム表示部材
７３    導光板
Ｒ      ウレタンフォーム断熱材
【図１】
2018013270.tif 000003
【図２】
2018013270.tif 000004
【図３】
2018013270.tif 000005
【図４】
2018013270.tif 000006
【図５】
2018013270.tif 000007
【図６】
2018013270.tif 000008
【図７】
2018013270.tif 000009
【図８】
2018013270.tif 000010
【図９】
2018013270.tif 000011